(57)【要約】【課題】ＬＥＤ交換作業が容易で、種々の厚さの導光板の光入射端面に対しＬＥＤを適切に配置でき、表示装置の表示性能を高め得るエッジライト型面光源装置を提供する。【解決手段】導光板２に取り付けられる保持部材５は、ＬＥＤ１を導光板板厚方向における中央位置に調整が可能となるように保持する。保持部材５は、導光板板厚方向に関して導光板裏面２３の側に位置し且つ導光板２に取り付けられる保持部材第１部分５１と導光板光出射面２２の側に位置し且つ保持部材第１部分５１に対し着脱可能なように結合される保持部材第２部分５２とを有する。保持部材第２部分５２は、保持部材第１部分５１に対する導光板板厚方向に関する位置の調整が可能となるように、保持部材第１部分５１と結合している。ＬＥＤ１は、保持部材第１部分５１と保持部材第２部分５２と導光体光入射端面２１とにより囲まれる空間内に位置する。【選択図】図３
2010225292.tif 000002
【特許請求の範囲】
【請求項１】
導光板と、該導光板の少なくとも１つの端面からなる光入射端面に隣接して配置された点状一次光源とを備えており、該点状一次光源から発せられ前記光入射端面に入射して前記導光板内に導入された光を該導光板の一方の主面からなる光出射面から出射させる面光源装置であって、
前記導光板には前記点状一次光源を保持する一次光源保持部材が取り付けられており、該一次光源保持部材は前記点状一次光源を前記導光板の板厚方向における中央位置に調整が可能となるように保持し、
前記一次光源保持部材は、前記導光板の板厚方向に関して前記導光板の他方の主面からなる裏面の側に位置し且つ前記導光板に取り付けられる保持部材第１部分と前記導光板の光出射面の側に位置し且つ前記保持部材第１部分に対し着脱可能なように結合される保持部材第２部分とを有しており、
前記保持部材第２部分は、前記保持部材第１部分に対する前記導光板の板厚方向に関する位置の調整が可能となるように、前記保持部材第１部分と結合しており、
前記点状一次光源は、前記保持部材第１部分と保持部材第２部分と導光体光入射端面とにより囲まれる空間内に位置することを特徴とする面光源装置。
【請求項２】
前記一次光源保持部材には前記導光板の板厚方向の第１スリットが形成されており、前記点状一次光源は前記第１スリットを貫通して延びる第１固定具により前記一次光源保持部材に固定されることを特徴とする、請求項１に記載の面光源装置。
【請求項３】
前記保持部材第１部分および保持部材第２部分のうちの一方には前記導光板の板厚方向の第２スリットが形成されており、前記保持部材第１部分および保持部材第２部分は前記第２スリットを貫通して延びる第２固定具により互いに結合されることを特徴とする、請求項１または２に記載の面光源装置。
【請求項４】
請求項１乃至３の何れか一項に記載の面光源装置と、該面光源装置の光出射面上に配置される光透過性の表示板とを含んでなることを特徴とする表示装置。
【請求項５】
前記表示板は、前記面光源装置の一次光源保持部材に取り付けられた透光性保護板と前記光出射面との間に配置されることを特徴とする、請求項４に記載の表示装置。
【請求項６】
前記点状一次光源および一次光源保持部材を包囲するように前記導光板の周辺部に付設された中空枠体を備えており、
該中空枠体は、前記導光板の板厚方向に関して前記導光板の裏面の側に位置し且つ前記保持部材第１部分に取り付けられる枠体第１部分と前記導光板の光出射面の側に位置し且つ前記枠体第１部分に対し着脱可能なように結合される枠体第２部分とを有しており、
前記枠体第２部分は、前記枠体第１部分に対する前記導光板の板厚方向に関する位置の調整が可能となるように、前記枠体第１部分と結合していることを特徴とする、請求項４または５に記載の表示装置。
【請求項７】
前記枠体第１部分および枠体第２部分のうちの一方には前記導光板の板厚方向の第３スリットが形成されており、前記枠体第１部分および枠体第２部分は前記第３スリットを貫通して延びる第３固定具により互いに結合されることを特徴とする、請求項６に記載の表示装置。
【発明の詳細な説明】
【技術分野】
【０００１】
本発明は、エッジライト型の面光源装置およびそれを照明光源として用いた表示装置に関するものである。
【背景技術】
【０００２】
従来、看板、広告板、案内板および標示板等として実用に供される表示装置としては、夜間あるいは室内や地下通路等の暗所での標示および広告等の効果を確保するために、所要の光透過性表示画像を担持した表示板の背面側に照明光源を配置したものが使用されている。
【０００３】
この照明光源としては、表示装置の薄型化に有利なエッジライト型の面光源装置が利用される様になっている。エッジライト型の面光源装置は、表示板と同等の外形寸法の導光板の少なくとも１つの端面（光入射端面）に隣接して蛍光ランプ等の一次光源を配置し、該一次光源から発せられる光を導光板内へと導入し、該導光板内を導光させ、該導光板の前面（光出射面）から光を出射させるものである。
【０００４】
以上のようなエッジライト型の面光源装置を背面照明装置（バックライト）として用いた表示装置においては、一次光源が経時劣化した場合には、該一次光源を交換する必要がある。このような一次光源の交換作業を容易にするために、特開２００４−３３５１９８号公報（特許文献１）には、エッジライト型面光源装置およびそれを用いた表示装置において、一次光源を覆う枠体を、導光板の光出射面側に位置する枠体部分と導光板の裏面側に位置する枠体部分とに分割し、光出射面側に位置する枠体部分を裏面側に位置する枠体部分に対して着脱可能に構成することが開示されている。
【０００５】
また、表示装置においては、表示内容の変更のために表示板を交換することがかなりの頻度で行われる。ここで、表示板としては一般にコルトンフィルムと呼ばれる光透過性画像担持体が使用されるが、その光学的性質には種々のものがあり、表示性能の向上のためには、一次光源として画像担持体との組合せに最適なものを選択することが望ましい。この観点から、経時劣化していない一次光源を交換することもある。
【０００６】
一方、導光板の厚さは、主として光出射面からの光出射が全面でできるだけ均一になるように選択され、一般的には導光板の外形寸法（光出射面の大きさに対応する寸法）が大きいものほど厚さの大きな導光板が使用される傾向にある。
【先行技術文献】
【特許文献】
【０００７】
【特許文献１】特開２００４−３３５１９８号公報
【発明の概要】
【発明が解決しようとする課題】
【０００８】
ところで、エッジライト型面光源装置の一次光源としては、消費電力低減等の観点から、従来の蛍光ランプや冷陰極管などの棒状光源に代えて、発光ダイオード（ＬＥＤ）等の点状の光源が使用されるようになっている。一次光源としては、複数の点状光源を列状に配列してなるものが用いられる。このような点状一次光源を使用する場合には、導光板の光出射面からの光出射は、一次光源から導光板光入射端面への光入射の態様にも大きく依存する。とくに、導光板厚さ方向に関して一次光源が光入射端面に対してどの位置に配置されるかに応じて、導光板光出射面からの出射光の分布が影響を受ける。すなわち、導光板光入射端面に対して点状一次光源を適切に配置することが、所要の表示性能を得るために重要である。光出射面全体における輝度分布においてできるだけむらが生じないようにすることが極めて好ましい。
【０００９】
特許文献１には、一次光源としてＬＥＤを使用することおよび一次光源を交換可能にすることについては、記載されている。しかしながら、特許文献１には、一次光源交換に際して、導光板に対する位置調整を行うことについては記載がない。
【００１０】
そこで、本発明は、点状一次光源交換の作業が容易で、種々の厚さの導光板の光入射端面に対して点状一次光源を適切に配置でき、もって表示装置の表示性能を高めることが可能なエッジライト型面光源装置を提供することを目的とする。
【００１１】
更に、本発明は、そのようなエッジライト型面光源装置を用いた表示装置であって、表示板交換の作業が容易で、該表示板の光学的性質に応じて点状一次光源を交換でき、しかも種々の厚さの導光板の光入射端面に対して点状一次光源を適切且つ容易に配置でき、もって表示性能を高めることが可能な表示装置を提供することを目的とする。
【課題を解決するための手段】
【００１２】
本発明によれば、上記の課題のうちの何れかを解決するものとして、
導光板と、該導光板の少なくとも１つの端面からなる光入射端面に隣接して配置された点状一次光源とを備えており、該点状一次光源から発せられ前記光入射端面に入射して前記導光板内に導入された光を該導光板の一方の主面からなる光出射面から出射させる面光源装置であって、
前記導光板には前記点状一次光源を保持する一次光源保持部材が取り付けられており、該一次光源保持部材は前記点状一次光源を前記導光板の板厚方向における中央位置に調整が可能となるように保持し、
前記一次光源保持部材は、前記導光板の板厚方向に関して前記導光板の他方の主面からなる裏面の側に位置し且つ前記導光板に取り付けられる保持部材第１部分と前記導光板の光出射面の側に位置し且つ前記保持部材第１部分に対し着脱可能なように結合される保持部材第２部分とを有しており、
前記保持部材第２部分は、前記保持部材第１部分に対する前記導光板の板厚方向に関する位置の調整が可能となるように、前記保持部材第１部分と結合しており、
前記点状一次光源は、前記保持部材第１部分と保持部材第２部分と導光体光入射端面とにより囲まれる空間内に位置することを特徴とする面光源装置、
が提供される。
【００１３】
本発明の一態様においては、前記一次光源保持部材には前記導光板の板厚方向の第１スリットが形成されており、前記点状一次光源は前記第１スリットを貫通して延びる第１固定具により前記一次光源保持部材に固定される。本発明の一態様においては、前記保持部材第１部分および保持部材第２部分のうちの一方には前記導光板の板厚方向の第２スリットが形成されており、前記保持部材第１部分および保持部材第２部分は前記第２スリットを貫通して延びる第２固定具により互いに結合される。
【００１４】
また、本発明によれば、上記の課題のうちの何れかを解決するものとして、上記面光源装置と、該面光源装置の光出射面上に配置される光透過性の表示板とを含んでなることを特徴とする表示装置、が提供される。
【００１５】
本発明の一態様においては、前記表示板は、前記面光源装置の一次光源保持部材に取り付けられた透光性保護板と前記光出射面との間に配置される。
【００１６】
本発明の一態様においては、
前記点状一次光源および一次光源保持部材を包囲するように前記導光板の周辺部に付設された中空枠体を備えており、
該中空枠体は、前記導光板の板厚方向に関して前記導光板の裏面の側に位置し且つ前記保持部材第１部分に取り付けられる枠体第１部分と前記導光板の光出射面の側に位置し且つ前記枠体第１部分に対し着脱可能なように結合される枠体第２部分とを有しており、
前記枠体第２部分は、前記枠体第１部分に対する前記導光板の板厚方向に関する位置の調整が可能となるように、前記枠体第１部分と結合している。
【００１７】
本発明の一態様においては、前記枠体第１部分および枠体第２部分のうちの一方には前記導光板の板厚方向の第３スリットが形成されており、前記枠体第１部分および枠体第２部分は前記第３スリットを貫通して延びる第３固定具により互いに結合される。
【発明の効果】
【００１８】
本発明のエッジライト型面光源装置および表示装置によれば、点状一次光源交換の作業が容易で、種々の厚さの導光板の光入射端面に対して点状一次光源を適切に配置でき、もって表示装置の表示性能を高めることが可能となる。
【図面の簡単な説明】
【００１９】
【図１】本発明による面光源装置の一実施形態を示す一部省略断面図である。
【図２】図１の面光源装置の部分拡大図である。
【図３】図１の面光源装置の部分拡大縦断面図である。
【図４】図１の面光源装置の部分拡大横断面図である。
【図５】図１の面光源装置の部分拡大正面図である。
【図６】図１の面光源装置の部分拡大側面図である。
【図７】図１の面光源装置の部分拡大底面図である。
【図８】保持部材第１部分および保持部材第２部分の部分拡大断面図である。
【図９】本発明の表示装置の一実施形態を示す模式的部分拡大断面図である。
【図１０】図９の表示装置の部分拡大縦断面図である。
【図１１】図９の表示装置の部分拡大横断面図である。
【図１２】一次光源保持部材と導光板との組合せの実施例を示す部分拡大縦断面図である。
【図１３】一次光源保持部材と導光板との組合せの実施例を示す部分拡大縦断面図である。
【図１４】一次光源保持部材と導光板との組合せの実施例を示す部分拡大縦断面図である。
【図１５】一次光源保持部材と導光板との組合せの実施例を示す部分拡大縦断面図である。
【図１６】一次光源保持部材と導光板との組合せの実施例を示す部分拡大縦断面図である。
【図１７】本発明の表示装置の他の実施形態を示す模式的部分拡大断面図である。
【図１８】図１７の表示装置の部分拡大縦断面図である。
【図１９】図１７の表示装置の部分拡大横断面図である。
【発明を実施するための形態】
【００２０】
以下、図面を参照しながら、本発明の実施の形態を説明する。
【００２１】
図１は本発明による面光源装置の一実施形態を示す一部省略断面図であり、図２はその部分拡大図であり、図３および図４はそれぞれその部分拡大縦断面図および部分拡大横断面図である。また、図５は本実施形態の部分拡大正面図であり、図６および図７はそれぞれその部分拡大側面図および部分拡大底面図である。
【００２２】
図１〜図４に示されているように、本実施形態の面光源装置においては、矩形板状の厚さ６ｍｍ（６ｔ）の導光板２が使用されている。導光板２の上端面および下端面が光入射端面２１として機能し、導光板２の一方の主面である正面が光出射面２２として機能する。光入射端面２１に隣接して、複数の点状一次光源たるＬＥＤ１が配置されている。複数のＬＥＤ１は、ＬＥＤ基板１１上にて、光入射端面２１および光出射面２２の双方と平行な方向に列状に配列されている。ＬＥＤ基板１１は、アルミニウムからなる厚さ３ｍｍ（３ｔ）のＬＥＤ支持板１２に固着されている。
【００２３】
光出射面２２上には、厚さ２ｍｍ（２ｔ）の光拡散板３が配置されている。導光板２の他方の主面である裏面２３上には光反射性で厚さ２ｍｍ（２ｔ）のアルミニウム複合板４が配置されている。
【００２４】
ＬＥＤ１から発せられ光入射端面２１に入射して導光板２内に導入された光は、光出射面２２から出射し、光拡散板３により拡散されて正面側へと向かう。
【００２５】
導光板２には、ＬＥＤ支持板１２を保持する一次光源保持部材５が取り付けられている。一次光源保持部材５は、ＬＥＤ支持板１２ひいてはＬＥＤ１を導光板２の板厚方向に関する位置の調整が可能となるように保持する。これにより、ＬＥＤ１を、導光板の板厚方向における中央位置に調整する（配置する）ことができる。一次光源保持部材５は、導光板２の板厚方向に関して裏面２３の側に位置し且つ導光板２に取り付けられる保持部材第１部分５１と、導光板２の板厚方向に関して光出射面２２の側に位置し且つ保持部材第１部分５１に対し着脱可能なように結合される保持部材第２部分５２とを有する。図８に、保持部材第１部分５１および保持部材第２部分５２の部分拡大断面図を示す。
【００２６】
保持部材第１部分５１は、導光板２の全端面の外方に位置する矩形環状の部材であり、固定部材５３を介して導光板２に固定されている。固定部材５３は、保持部材第１部分５１の４隅部において内側にネジ止めされており、その２つの内方端部が導光板２の４隅部において導光板２の光入射端面２１および右端面または左端面に当接している。保持部材第１部分５１は、アルミニウム複合板４に当接する内側の基部５１１、および該基部５１１に連なり且つ保持部材第２部分５２と結合される結合部５１２とからなる。
【００２７】
保持部材第２部分５２は、保持部材第１部分５１の上下２辺部分のそれぞれに対応して位置しており、光拡散板３に当接する内側の基部５２１、および該基部５２１に連なり且つ保持部材第１部分５１と結合される結合部５２２とからなる。
【００２８】
保持部材第１部分５１の結合部５１２には導光板板厚方向の第１スリット５１３が形成されており、これに対応してＬＥＤ支持板１２にはネジ孔１２１が形成されている。ＬＥＤ支持板１２は、第１スリット５１３を貫通して延びる第１固定具としての化粧ネジ１２２により、保持部材第１部分５１ひいては一次光源保持部材５に固定される。この固定に際して、第１スリット５１３内での導光板板厚方向に関する化粧ネジ１２２の位置を調整することで、ＬＥＤ１の導光板板厚方向に関する位置を調整することができる。これにより、ＬＥＤ１を、導光板の板厚方向における中央位置に調整する（配置する）ことができる。
【００２９】
保持部材第２部分５２には導光板板厚方向の第２スリット５２３が形成されており、これに対応して保持部材第１部分５１にはネジ孔５１４が形成されている。保持部材第１部分５１および保持部材第２部分５２は、第２スリット５２３を貫通して延びる第２固定具としての化粧ネジ５１５により、互いに結合される。この結合に際して、導光板２の厚さ、ひいては導光板２、光拡散板３およびアルミニウム複合板４の総合厚さに応じて、導光板板厚方向に関する化粧ネジ５１５に対する保持部材第２部分５２の位置を調整することができる。かくして、保持部材第２部分５２は、保持部材第１部分５１に対する導光板板厚方向に関する位置の調整が可能となるように、保持部材第１部分５１と結合している。
【００３０】
一次光源保持部材５は、保持部材第１部分５１の左右２辺部分のそれぞれに対応して、保持部材第２部分５２と同様な保持部材第３部分５４を有する。すなわち、保持部材第３部分５４は、光拡散板３に当接する内側の基部および該基部に連なり且つ保持部材第１部分５１と結合される結合部とからなる。保持部材第３部分５４の結合部には導光板板厚方向のスリットが形成されており、これに対応して保持部材第１部分５１にはネジ孔５１４が形成されている。保持部材第１部分５１および保持部材第３部分５４は、スリットを貫通して延びる固定具としての化粧ネジ５１６により、互いに結合される。この結合に際して、導光板板厚方向に関する化粧ネジ５１６に対する保持部材第３部分５４の位置を調整することができる。すなわち、保持部材第１部分５１に対する保持部材第３部分５４の結合形態は、保持部材第１部分５１に対する保持部材第２部分５２の結合形態と同様である。
【００３１】
かくして、ＬＥＤ１は、保持部材第１部分５１と保持部材第２部分５２と導光体光入射端面２１とにより囲まれる空間内に位置する。
【００３２】
図９は、以上のような面光源装置を背面照明光源として用いた本発明の表示装置の一実施形態を示す模式的部分拡大断面図であり、図１０および図１１はそれぞれその部分拡大縦断面図および部分拡大横断面図である。これらの図９〜図１１は、それぞれ図２〜図４に対応する部分を示す。
【００３３】
本実施形態の表示装置は、上記実施形態の面光源装置と、該面光源装置の光出射面２２上（具体的には光拡散板３上）に配置される光透過性の表示板としてのコルトンフィルム６とを含んでなる。コルトンフィルム６は、アクリル樹脂製の厚さ３ｍｍ（３ｔ）の透光性保護板７と光出射面２２（具体的には光拡散板３）との間において、保持部材第２部分５２および保持部材第３部分５４の基部の内側端縁により囲まれる領域に、配置される。
【００３４】
一次光源保持部材５の保持部材第２部分５２および保持部材第３部分５４には、それぞれ化粧ネジ５２４および化粧ネジ５４１により、透光性保護板７の取り付けのための取付部材７１が着脱可能に取り付けられる。透光性保護板７の外周部は、保持部材第２部分５２および保持部材第３部分５４の基部上に配置される。
【００３５】
本実施形態の表示装置は、ＬＥＤ１および一次光源保持部材５を包囲するように導光板２の周辺部に付設された中空枠体８を備えている。該中空枠体８は、導光板板厚方向に関して導光板裏面２３の側に位置し且つ保持部材第１部分５１に取り付けられる枠体第１部分８１と、導光板光出射面２２の側に位置し且つ枠体第１部分８１に対し着脱可能なように結合される枠体第２部分８２とを有する。枠体第１部分８１には補強板８１１が付されており、該補強板８１１と保持部材第１部分５１とをネジ止めすることで、保持部材第１部分５１に対する枠体第１部分８１の取付がなされている。
【００３６】
枠体第２部分８２は、枠体第１部分８１に対する導光板板厚方向に関する位置の調整が可能となるように、枠体第１部分８１と結合している。具体的には、枠体第１部分８１および枠体第２部分８２のうちの一方（例えば枠体第１部分８１）に導光板板厚方向の第３スリットを形成しておき、枠体第１部分８１および枠体第２部分８２のうちの他方（例えば枠体第２部分８２）にネジ孔を形成しておき、枠体第１部分８１および枠体第２部分８２を第３スリットを貫通して延びる第３固定具としてのネジ８３により互いに結合する。
【００３７】
アルミニウム複合板４の外面（背面）と枠体第１部分８１の内側端部との間はコーキング材９によりシールされており、透光性保護板７の外面（表面）に対向する枠体第２部分８２の内側端部には透光性保護板７との間のシールのためのゴムパッキン１０が付設されている。
【００３８】
以上のような本実施形態の表示装置におけるＬＥＤ１およびコルトンフィルム６の交換は、次のようにして行うことができる。
【００３９】
先ず、ネジ８３による枠体第１部分８１と枠体第２部分８２との結合を解除し、枠体第２部分８２を取り外す。次に、化粧ネジ５２４および化粧ネジ５４１を取り外して取付部材７１を除去することで、透光性保護板７を取り除く。これにより、コルトンフィルム６の交換が可能となる。
【００４０】
更に、化粧ネジ５１５による保持部材第１部分５１と保持部材第２部分５２との結合を解除し、保持部材第２部分５２を取り外す。次に、化粧ネジ１２２による保持部材第１部分５１とＬＥＤ支持板１２との結合を解除することで、該ＬＥＤ支持板１２と共にＬＥＤ１を交換することができる。
【００４１】
ＬＥＤ支持板１２付きの新たなＬＥＤ１を保持部材第１部分５１に取り付ける際には、導光板板厚方向に関して、ＬＥＤ１の位置が導光板２の厚さ中心に位置するように、第１スリット５１３内での化粧ネジ１２２の位置を調整する。
【００４２】
尚、ＬＥＤ１を交換せず、コルトンフィルム６のみを交換する場合には、枠体第２部分８２を取り外した後に、化粧ネジ５２４および化粧ネジ５４１を取り外して上側および左右両側の取付部材７１を除去し、但し下側の取付部材７１を装着したままとし、透光性保護板７の上辺側を下辺を中心として前面側に僅かに倒し、コルトンフィルム６を上方へと引き出し、新たなコルトンフィルム６を下向きに入れ込むことで交換することも可能である。これによれば、コルトンフィルム６の交換作業が簡単化される。
【００４３】
以上のように、枠体第１部分８１および保持部材第１部分５１を取り外すことなく、表示装置の構成部材の一部のみの取り外しで、ＬＥＤ１および／またはコルトンフィルム６を交換することができる。
【００４４】
本発明の面光源装置および表示装置によれば、導光板２（更には、光拡散板３および／またはアルミニウム複合板４）として厚さの異なるものを使用する場合にも、一次光源保持部材５および中空枠体８としてそれぞれ同一のものを使用することができ、しかも、導光板２（更には、光拡散板３および／またはアルミニウム複合板４）の厚さに応じて導光板板厚方向に関するＬＥＤ１の位置が導光板２の厚さ中心に位置するように容易に調整することができ、良好な光学性能が得られる。
【００４５】
図１２〜図１６は、一次光源保持部材５と互いに異なる厚さの導光板２との組合せを採用した実施例を示す部分拡大縦断面図である。これらの図においては、ｍｍ単位での寸法が示されており、「ｔ」は厚さを示し、「アルミ複合板」はアルミニウム複合板を指し、「拡散板」は光拡散板を指す。
【００４６】
図１２は、光拡散板を使用せず、導光板の厚さが４ｍｍで、アルミニウム複合板の厚さが２ｍｍの最小パターンの実施例である。図１３は、光拡散板を使用せず、導光板の厚さが６ｍｍで、アルミニウム複合板の厚さが２ｍｍの実施例である。図１４は、光拡散板の厚さが２ｍｍで、導光板の厚さが６ｍｍで、アルミニウム複合板の厚さが２ｍｍの実施例である。図１５は、光拡散板の厚さが２ｍｍで、導光板の厚さが８ｍｍで、アルミニウム複合板の厚さが２ｍｍの実施例である。図１６は、光拡散板の厚さが２ｍｍで、導光板の厚さが１２ｍｍ（厚さ６ｍｍの導光体を２枚重畳）で、アルミニウム複合板の厚さが２ｍｍの最大パターンの実施例である。
【００４７】
図１７は、本発明の表示装置の他の実施形態を示す模式的部分拡大断面図であり、図１８および図１９はそれぞれその部分拡大縦断面図および部分拡大横断面図である。これらの図１７〜図１９は、それぞれ図９〜図１１に対応する部分を示す。
【００４８】
図１〜図１６に関し説明した実施形態では、保持部材第１部分５１、保持部材第２部分５２および保持部材第３部分５４として、いずれもアルミニウム型材を用いているが、図１７〜図１９に係る本実施形態は、保持部材第１部分５１、保持部材第２部分５２および保持部材第３部分５４として、いずれもステンレススチールの板金加工品を使用して強度を更に向上させたことのみ、図１〜図１６に関し説明した実施形態と異なる。その他は、図１〜図１６に関し説明した実施形態と同様である。
【符号の説明】
【００４９】
１  ＬＥＤ
１１  ＬＥＤ基板
１２  ＬＥＤ支持板
１２１  ネジ孔
１２２  化粧ネジ
２  導光板
２１  光入射端面
２２  光出射面
２３  裏面
３  光拡散板
４  アルミニウム複合板
５  一次光源保持部材
５１  保持部材第１部分
５１１  基部
５１２  結合部
５１３  第１スリット
５１４  ネジ孔
５１５  化粧ネジ
５１６  化粧ネジ
５２  保持部材第２部分
５２１  基部
５２２  結合部
５２３  第２スリット
５２４  化粧ネジ
５３  固定部材
５４  保持部材第３部分
５４１  化粧ネジ
６  コルトンフィルム
７  透光性保護板
７１  取付部材
８  中空枠体
８１  枠体第１部分
８１１  補強板
８２  枠体第２部分
８３  ネジ
９  コーキング材
１０  ゴムパッキン
【図１】
2010225292.tif 000003
【図２】
2010225292.tif 000004
【図３】
2010225292.tif 000005
【図４】
2010225292.tif 000006
【図５】
2010225292.tif 000007
【図６】
2010225292.tif 000008
【図７】
2010225292.tif 000009
【図８】
2010225292.tif 000010
【図９】
2010225292.tif 000011
【図１０】
2010225292.tif 000012
【図１１】
2010225292.tif 000013
【図１２】
2010225292.tif 000014
【図１３】
2010225292.tif 000015
【図１４】
2010225292.tif 000016
【図１５】
2010225292.tif 000017
【図１６】
2010225292.tif 000018
【図１７】
2010225292.tif 000019
【図１８】
2010225292.tif 000020
【図１９】
2010225292.tif 000021
【手続補正書】
【提出日】平成21年12月22日(2009.12.22)
【手続補正１】
【補正対象書類名】図面
【補正対象項目名】図１
【補正方法】変更
【補正の内容】
【図１】
2010225292.tif 000022
【手続補正２】
【補正対象書類名】図面
【補正対象項目名】図２
【補正方法】変更
【補正の内容】
【図２】
2010225292.tif 000023
【手続補正３】
【補正対象書類名】図面
【補正対象項目名】図３
【補正方法】変更
【補正の内容】
【図３】
2010225292.tif 000024
【手続補正４】
【補正対象書類名】図面
【補正対象項目名】図４
【補正方法】変更
【補正の内容】
【図４】
2010225292.tif 000025
【手続補正５】
【補正対象書類名】図面
【補正対象項目名】図５
【補正方法】変更
【補正の内容】
【図５】
2010225292.tif 000026
【手続補正６】
【補正対象書類名】図面
【補正対象項目名】図６
【補正方法】変更
【補正の内容】
【図６】
2010225292.tif 000027
【手続補正７】
【補正対象書類名】図面
【補正対象項目名】図７
【補正方法】変更
【補正の内容】
【図７】
2010225292.tif 000028
【手続補正８】
【補正対象書類名】図面
【補正対象項目名】図８
【補正方法】変更
【補正の内容】
【図８】
2010225292.tif 000029
【手続補正９】
【補正対象書類名】図面
【補正対象項目名】図９
【補正方法】変更
【補正の内容】
【図９】
2010225292.tif 000030
【手続補正１０】
【補正対象書類名】図面
【補正対象項目名】図１０
【補正方法】変更
【補正の内容】
【図１０】
2010225292.tif 000031
【手続補正１１】
【補正対象書類名】図面
【補正対象項目名】図１１
【補正方法】変更
【補正の内容】
【図１１】
2010225292.tif 000032
【手続補正１２】
【補正対象書類名】図面
【補正対象項目名】図１２
【補正方法】変更
【補正の内容】
【図１２】
2010225292.tif 000033
【手続補正１３】
【補正対象書類名】図面
【補正対象項目名】図１７
【補正方法】変更
【補正の内容】
【図１７】
2010225292.tif 000034
【手続補正１４】
【補正対象書類名】図面
【補正対象項目名】図１８
【補正方法】変更
【補正の内容】
【図１８】
2010225292.tif 000035
【手続補正１５】
【補正対象書類名】図面
【補正対象項目名】図１９
【補正方法】変更
【補正の内容】
【図１９】
2010225292.tif 000036